(57)【要約】【課題】フォーカス移動をモニタリングする撮影者の意図した瞬間と、実際にシャッターレリーズが押される所定の時間差を補正し、撮影者の意図した焦点位置にフォーカスレンズを駆動した後、撮像を行うことにより撮影者の意図した通りに合焦した被写体をより確実に撮影する。【解決手段】入射される被写体像を光電変換し撮像信号として出力する固体撮像素子と、撮像素子上に被写体像を結像させるフォーカスレンズと、フォーカスレンズを光軸方向に移動させて被写体像の焦点位置を調整するフォーカス駆動部と、シャッターを開くタイミングを入力するレリーズスイッチと、装置本体の動作を制御する制御装置と、を備えた撮像装置であって、制御装置は、設定されたレリーズ操作遅延時間だけ前におけるフォーカスレンズ位置にフォーカスレンズを移動させた後に撮影を行うように制御する。【選択図】図３
2009163125.tif 000002
【特許請求の範囲】
【請求項１】
入射される被写体像を光電変換し撮像信号として出力する固体撮像素子と、前記撮像素子上に被写体像を結像させるフォーカスレンズと、前記フォーカスレンズを光軸方向に移動させて被写体像の焦点位置を調整するフォーカス駆動部と、シャッターを開くタイミングを入力するレリーズスイッチと、装置本体の動作を制御する制御装置と、を備えた撮像装置であって、
前記制御装置は、設定されたレリーズ操作遅延時間だけ前におけるフォーカスレンズ位置に前記フォーカスレンズを移動させた後に撮影を行うように制御することを特徴とする撮像装置。
【請求項２】
前記レリーズスイッチは、メカスイッチ及び／又は音声スイッチであることを特徴とする請求項１に記載の撮像装置。
【請求項３】
前記レリーズ操作遅延時間を測定する測定手段を備えたことを特徴とする請求項１又は２に記載の撮像装置。
【請求項４】
前記レリーズ操作遅延時間を複数記憶する記憶手段を備えたことを特徴とする請求項１乃至３の何れか一項に記載の撮像装置。
【請求項５】
前記記憶手段は、前記レリーズスイッチの種類に応じてそれぞれの前記レリーズ操作遅延時間を記憶することを特徴とする請求項４に記載の撮像装置。
【発明の詳細な説明】
【技術分野】
【０００１】
本発明は、電子画像を撮像・再生するカメラ、カメラ付携帯電話機、ビデオカメラなどに関するものである。
【背景技術】
【０００２】
近年デジタルカメラを利用した撮影領域は、技術の進歩に伴い広がり続けている。その一例として、走行中の車内からの撮影や走行中の車両の撮影など、撮影者の瞬間的な判断による撮影を試みることは実際に良くあることである。しかし、撮影した画像を後々確認してみると、撮影のタイミングが合わずに撮影したかった瞬間を撮り逃してしまうことは少なくない。また、昆虫のような動作する被写体などを接写で撮影する場合、オートフォーカスによってフォーカスを合わせた時点にはすでに、被写体は動いてしまって撮影機会を逃すこともある。
このような問題の対応策である従来の技術として、特許文献１には、撮影者がキー操作によりカーソルで所望の焦点位置を指定すると、指定した焦点位置が設定され、撮影者が一気にシャッターボタンを全押しした場合にはＡＦ動作を行わず、撮影者が設定した焦点位置にフォーカスレンズを移動させて撮影を行うものがある。
また、特許文献２には、シャッターが半押しされてから、全押しされるまでの間は、フォーカスレンズを低速で移動させて合焦位置を検出し、フォーカスレンズが合焦位置に達する以前に撮影者によりシャッターが全押しされた場合は、フォーカスレンズをシャッターが半押しされているときよりも速い速度で移動させて合焦位置を検出するものがある。
【特許文献１】特開２００６−２７６６８３公報
【特許文献２】特開２００６−２５９６８８公報
【発明の開示】
【発明が解決しようとする課題】
【０００３】
しかし、特許文献１に記載の発明では、撮影者の意図するフォーカス位置を臨機応変にすばやく得ることはできない。
また、特許文献２に記載の発明では、撮影者の意図した瞬間より合焦位置を検索するため撮影者の意図した瞬間と実際の画像には時間的なずれが大きく生じてしまう。
そこで本発明は、フォーカス移動（シャッターレリーズ１のとき）をモニタリングする撮影者の意図した瞬間と、実際にシャッターレリーズ２が押される所定の時間差を補正し、撮影者の意図した焦点位置にフォーカスレンズを駆動した後、撮像を行うことにより撮影者の意図した通りに合焦した被写体をより確実に撮影することが可能な撮像装置の提供を目的としている。
【課題を解決するための手段】
【０００４】
上記の課題を解決するために、請求項１に記載の発明は、入射される被写体像を光電変換し撮像信号として出力する固体撮像素子と、前記撮像素子上に被写体像を結像させるフォーカスレンズと、前記フォーカスレンズを光軸方向に移動させて被写体像の焦点位置を調整するフォーカス駆動部と、シャッターを開くタイミングを入力するレリーズスイッチと、装置本体の動作を制御する制御装置と、を備えた撮像装置であって、前記制御装置は、設定されたレリーズ操作遅延時間だけ前におけるフォーカスレンズ位置にフォーカスレンズを移動させた後に撮影を行うように制御することを特徴とする。
また、請求項２に記載の発明では、前記レリーズスイッチは、メカスイッチ又は音声スイッチ又はメカスイッチ及び音声スイッチであることを特徴とする。
また、請求項３に記載の発明では、前記レリーズ操作遅延時間を測定する測定手段を備えたことを特徴とする。
また、請求項４に記載の発明では、前記レリーズ操作遅延時間を複数記憶する記憶手段を備えたことを特徴とする。
また、請求項５に記載の発明では、前記記憶手段は、前記レリーズスイッチの種類に応じてそれぞれの前記レリーズ操作遅延時間を記憶することを特徴とする。
【発明の効果】
【０００５】
本発明によれば、設定されたレリーズ操作遅延時間だけ前におけるフォーカスレンズ位置にフォーカスレンズを移動させた後に撮影を行うように制御するので、撮影者の意図した瞬間と操作までにかかる所定の時間差分、撮影者の意図した瞬間の焦点位置に前記フォーカスレンズを駆動することにより、撮影者のレリーズ操作遅延時間による遅れを補正し、撮影者の意図する瞬間の撮影を行うことができる。
【発明を実施するための最良の形態】
【０００６】
以下、図面を参照して本発明の実施の形態について説明する。
図１は本発明の実施形態として撮像装置の一例におけるデジタルカメラを示す概略図であり、（ａ）は上面図、（ｂ）は正面図、（ｃ）は背面図である。図１において、カメラの上面には、レリーズボタン１０１、モードダイアル１０２、サブ液晶ディスプレイ８１が配置されている。カメラの正面には、レンズを含む鏡筒ユニット３０、メモリカード装填室および電池装填室の蓋８２、ストロボ発光部８３、光学ファインダ８４、リモコン受光部８６が配置されている。カメラの背面には、光学ファインダ８４、ＡＦ用ＬＥＤ８８、ストロボＬＥＤ８９、液晶ディスプレイモニタ９０、電源スイッチ９１、広角方向ズームスイッチ１０３、望遠方向ズームスイッチ１０４のほか、各種操作キー１０５〜１１１、及び、一気押しモードキー１１２が配置されている。
【０００７】
図２は、本発明の実施形態としてデジタルスチルカメラ内部のシステム構成を示すブロック図である。
鏡胴ユニット３０は、被写体の光学画像を取り込むズームレンズ３１、ズームモータ３９からなるズーム光学系３５、フォーカスレンズ３２、フォーカスモータ４０からなるフォーカス光学系３６、絞り３３、絞りモータ４１からなる絞りユニット３７、メカシャッタ３４、メカシャッタモータ４２からなるメカシャッタユニット３８、各モータを駆動するモータドライバ４３を有する。そして、モータドライバ４３は、リモコン受光部８６からの入力や操作キーユニット１０１〜１１２の操作入力に基づく、後述するデジタルスチルカメラプロセッサ１０内にあるＣＰＵブロック１３からの駆動指令により駆動制御される。
ＲＯＭ２４には、ＣＰＵブロック１３にて解読可能なコードで記述された、制御プログラムや制御するためのパラメータが格納されている。このデジタルカメラの電源がオン状態になると、前記プログラムは不図示のメインメモリにロードされ、前記ＣＰＵブロック１３はそのプログラムに従って装置各部の動作を制御するとともに、制御に必要なデータ等を、一時的に、ＲＡＭ２２、及び後述するデジタルスチルカメラプロセッサ１０内にあるローカルＳＲＡＭ１４に保存する。ＲＯＭ２４に書き換え可能なフラッシュＲＯＭを使用することで、制御プログラムや制御するためのパラメータを変更することが可能となり、機能のバージョンアップが容易に行える。
【０００８】
ＣＣＤ４４は、鏡胴ユニット３０を介して取り込まれた光学画像を光電変換するための固体撮像素子であり、Ｆ／Ｅ−ＩＣ（フロントエンドＩＣ）５０は、画像ノイズ除去用相関二重サンプリングを行うＣＤＳ５１、利得調整を行うＡＧＣ５２、デジタル信号変換を行うＡ／Ｄ５３、ＣＣＤ１信号処理ブロック１１より、垂直同期信号（以下、ＶＤと記す。）、水平同期信号（以下、ＨＤと記す。）を供給され、ＣＰＵブロック１３によって制御されるＣＣＤ４４、及びＦ／Ｅ−ＩＣ５０の駆動タイミング信号を発生するＴＧ（タイミングジェネレータ）５４を有する。
デジタルスチルカメラプロセッサ１０は、ＣＣＤ４４よりＦ／Ｅ―ＩＣ５０の出力データにホワイトバランス設定やガンマ設定を行い、又、前述したように、ＶＤ信号、ＨＤ信号を供給するＣＣＤ１信号処理ブロック１１、フィルタリング処理により、輝度データ・色差データへの変換を行うＣＣＤ２信号処理ブロック１２、前述した装置各部の動作を制御するＣＰＵブロック１３、前述した制御に必要なデータ等を、一時的に、保存するローカルＳＲＡＭ１４、パソコンなどの外部機器とＵＳＢ通信を行うＵＳＢブロック１５、パソコンなどの外部機器とシリアル通信を行うシリアルブロック１６、ＪＰＥＧ圧縮・伸張を行うＪＰＥＧ・ＣＯＤＥＣブロック１７、画像データのサイズを補間処理により拡大／縮小するＲＥＳＩＺＥブロック１８、画像データを液晶モニタやＴＶなどの外部表示機器に表示するためのビデオ信号に変換するＴＶ信号表示ブロック１９、撮影された画像データを記録するメモリカードの制御を行うメモリカードコントローラブロック２０を有する。
【０００９】
ＳＤＲＡＭ（デジタル信号処理ＩＣ）２１は、前述したデジタルスチルカメラプロセッサ１０で画像データに各種処理を施す際に、画像データを一時的に保存する。保存される画像データは、例えば、ＣＣＤ４４から、Ｆ／Ｅ−ＩＣ５０を経由して取りこんで、ＣＣＤ１信号処理ブロック１１でホワイトバランス設定、ガンマ設定が行われた状態の「ＲＡＷ−ＲＧＢ画像データ」やＣＣＤ２信号処理ブロック１２で輝度データ・色差データ変換が行われた状態の「ＹＵＶ画像データ」、ＪＰＥＧ・ＣＯＤＥＣブロック１７で、ＪＰＥＧ圧縮された「ＪＰＥＧ画像データ」などである。
メモリカードスロットル７１は、着脱可能なメモリカード７３を装着するためのスロットルである。内蔵メモリ２３は、前述したメモリカードスロットル７１にメモリカード７３が装着されていない場合でも、撮影した画像データを記憶できるようにするためのメモリである。
【００１０】
ＬＣＤドライバ６８は、後述するＬＣＤモニタ９０に駆動するドライブ回路であり、ＴＶ信号表示ブロック１９から出力されたビデオ信号を、ＬＣＤモニタ９０に表示するための信号に変換する機能も有している。ＬＣＤモニタ９０は、撮影前に被写体の状態を監視する、撮影した画像を確認する、メモリカード７３や前述した内蔵メモリ２３に記録した画像データを表示する、などを行うためのモニタである。
ビデオＡＭＰ６９は、ＴＶ信号表示ブロック１９から出力されたビデオ信号を、７５Ωインピーダンス変換するためのアンプであり、ビデオジャック７０は、ＴＶなどの外部表示機器と接続するためのジャックである。ＵＳＢコネクタ６５は、パソコンなどの外部機器とＵＳＢ接続を行う為のコネクタである。シリアルドライバ回路６６は、パソコンなどの外部機器とシリアル通信を行うために、前述したシリアルブロック１６の出力信号を電圧変換するための回路であり、ＲＳ−２３２Ｃコネクタ６７は、パソコンなどの外部機器とシリアル接続を行う為のコネクタである。
【００１１】
サブＣＰＵ６２は、ＲＯＭ・ＲＡＭをワンチップに内蔵したＣＰＵであり、操作キーユニット１０１〜１１２やリモコン受光部８６の出力信号を撮影者の操作情報として、前述したＣＰＵブロック１３に出力したり、前述したＣＰＵブロック１３より出力されるカメラの状態を、後述するサブＬＣＤ８１、ＡＦ用ＬＥＤ８８、ストロボＬＥＤ８９、ブザー６４の制御信号に変換して、出力する。
サブＬＣＤ８１は、例えば、撮影可能枚数など表示するための表示部であり、ＬＣＤドライバ６３は、前述したサブＣＰＵ６２の出力信号より、前述したサブＬＣＤ８１を駆動するためのドライブ回路である。
【００１２】
ＡＦ用ＬＥＤ８８は、撮影時の合焦状態を表示するためのＬＥＤであり、ストロボＬＥＤ８９は、ストロボ充電状態を表すためのＬＥＤである。尚、このＡＦ用ＬＥＤ８８とストロボＬＥＤ８９を、メモリカードアクセス中などの別の表示用途に使用しても良い。操作キーユニット１０１〜１１２は、撮影者が操作するキー回路であり、リモコン受光部８６は、撮影者が操作したリモコン送信機の信号の受信部である。
ストロボ発光部８３、ストロボ回路７２は、自然光などの光が足りない場合に光量を補う装置である。暗い場所や被写体が暗い場合の撮影においては、後述するデジタルスチルカメラプロセッサ１０からストロボ回路７２にストロボ発光信号を送信し、ストロボ回路７２は、ストロボ発光部８３を発光させ被写体を明るくする。
音声記録ユニットは、撮影者が音声信号を入力するマイク５８、入力された音声信号を増幅するマイクＡＭＰ５７、増幅された音声信号を記録する音声記録回路５６からなる。音声再生ユニットは、記録された音声信号をスピーカ６１から出力できる信号に変換する音声再生回路５９、変換された音声信号を増幅し、スピーカ６１を駆動するためのオーディオＡＭＰ６０、音声信号を出力するスピーカ６１からなる。
【００１３】
［発明の実施形態］
本発明の第一の実施形態について説明する。
図３は、フォーカスレンズ位置と官能合焦値の関係を示した図である。縦軸は官能合焦値を表し、横軸は時間及び時間の経過とともに移動するフォーカスレンズの位置を表している。また、Ｉｍａｇｅ１〜Ｉｍａｇｅ５は、ＬＣＤモニタ９０に表示される画像であり、フォーカスレンズの移動とともに変化する画像を示している。ここで官能合焦値とは、人間が見て良いと思えば高くなる値であり、グラフで一番山の高いＡ点は、撮影者が「一番ピントが合った」と思う点である。
一般に、人間の反応速度は約０．２秒と言われている。そのため、フォーカスレンズ３２の移動中に、官能合焦値が最大になった時点（Ａ点）で撮影者がレリーズボタン１０１を押しても、実際にレリーズボタン１０１が押される時点（Ｂ点）までにタイムラグ（ｔ）が生ずる。以下、この「タイムラグ」のことを「レリーズ操作遅延時間」という。
レリーズ操作遅延時間ｔの間にもフォーカスレンズ３２は移動し、焦点が大きくずれてしまう。その結果、レリーズが固定されてメカシャッタ３４が動作したときには、撮影者の意図したとおりのピントで撮影されないことになる。本発明では人間の反応速度を考慮して、人間の反応速度分のフォーカスレンズ３２のずれを補正して撮影する。
【００１４】
具体的には、撮影者が撮影の瞬間を決めて（Ａ点）から、レリーズボタン１０１を押す（Ｂ点）までにかかったレリーズ操作遅延時間ｔを差し引いた時間の焦点位置ａをデジタルスチルカメラプロセッサ１０で算出する。焦点位置ｂにあるフォーカスレンズ３２を、撮影者が撮影の瞬間を決めたＡの時点における焦点位置ａまで戻してから、被写体の撮影をすることによって、撮影者の思い通りの撮影に近づけることができる。
本発明による撮影は一気押し撮影により行う。一気押し撮影とは、レリーズボタン１０１の半押し動作をせずに一気にレリーズボタン１０１を押し込んで撮影する撮影方法のことである。通常、デジタルカメラによる撮影はレリーズ半押しでＡＦ機能を作動させ、レリーズ全押しで撮影されるようになっている。本発明におけるデジタルカメラ１においても、基本的な動作としてこれを維持し、区別するため、本発明による撮影は一気押し撮影によることとした。
【００１５】
図４は、一気押し撮影モードのメニュー設定における制御を示したフローチャートである。撮影者は、メニュー画面から一気押し撮影モードの設定の変更を行うか否かを選択する（Ｓ１）。Ｓ１でＮｏの場合は、そのままフローを抜ける。Ｓ１でＹｅｓの場合は、一気押し撮影モードの設定のうち、どの設定を行うかを選択する（Ｓ２）。レリーズ操作遅延時間の設定では、０．１秒から０．４秒の間で遅延時間を選択して設定する（Ｓ３）。レリーズ操作遅延時間ｔは、デフォルトでは０．２秒と設定してある。しかし、人間の反応速度は人それぞれであるので、０．１秒〜０．４秒までの間で任意に設定できるようにした。設定されたレリーズ操作遅延時間はＲＡＭ２２に記憶される。設定変更終了（Ｓ５でＹｅｓ）であれば一気押し撮影モード設定変更のフローを抜ける。なお、Ｓ４の音声シャッター機能については後述する。
【００１６】
一気押し撮影モードの選択は、操作キーユニット１０１〜１１２の一部に一気押し撮影モード用の専用ボタン１１２を設け、専用ボタンが押されるとデジタルカメラ１の設定が一気押し撮影モードに切り替わるようにする。専用ボタンの他にも、メニューボタンなどカメラ設定を変更するボタンから、カメラ設定のメニュー項目に入り一気押し撮影モードを選択するようにしてもよい。
このように、本実施形態によれば、レリーズボタン１０１が押されたときの焦点位置で撮影するのではなく、フォーカスレンズ３２をレリーズ操作遅延時間ｔの間に移動した分だけ戻した焦点位置で撮影を行うので、撮影者の意図した通りにピントが合った美しい画像を撮影することができる。また、レリーズ操作遅延時間ｔを設定できるので、より使いやすいデジタルカメラを提供することができる。また、撮影を一気押し撮影とすることで、撮影者がより速く確実に被写体を撮影することができる。
【００１７】
本発明第二の実施形態について説明する。瞬間的な動作が必要とされる撮影において、レリーズボタン１０１の一気押しを行うと、レリーズボタン１０１を押した瞬間にデジタルカメラ１がぶれてしまい、手振れ撮影をしてしまうことが多い。そこで、本実施形態では、撮影者が発する音声をマイク５１で拾ってシャッター信号とする、音声シャッターを採用した。
音声シャッター機能について説明する。音声は、デジタルカメラ１に取り付けられたマイク５８とマイクＡＭＰ５を通して、デジタルスチルカメラプロセッサ１０のＣＰＵブロック１３に音声信号として入力される。ＣＰＵブロック１３にて、入力された音声信号がシャッターを切るための所定の言葉であると判断された場合には、メカシャッタモータ４２によりメカシャッタ３４が切られ、撮影が行われる。
【００１８】
図５は、音声シャッターの動作を示すフローチャートである。音声シャッター機能が有効の状態で音声入力があると（Ｓ１１でＹｅｓ）、ＣＰＵブロック１３にて、音声信号とサンプル音声の比較が行われる。音声が認識され、シャッターを切るための音声であると判断されると（Ｓ１２でＹｅｓ）、撮影準備動作（Ｓ１３）の後、撮影動作が実施される（Ｓ１４）。なお、Ｓ１３の撮影準備動作では、本発明第一の実施形態に記載したフォーカスレンズ３２の位置調整及び測光等が行われる。またＳ１４の撮影動作の詳細については省略する。音声が認識されなかった場合には（Ｓ１２でＮｏ）、撮影が失敗したことを告げるビープ音がスピーカ６１から出力され、Ｓ１１に戻って音声の入力を待つ。
音声シャッター機能は、図４の一気押し撮影モードのメニュー設定フローチャートのＳ４で、音声シャッター機能ＯＮを選択することにより、動作させることができる。この場合、Ｓ３で設定されたレリーズ操作遅延時間ｔは音声シャッターを用いて撮影する際にも適用される。また、音声シャッター機能とレリーズボタン１０１の一気押しによる撮影とを並行して使用することもでき、何れかからの入力に基づいて撮影が行うことが可能である。
このように、本実施形態では音声シャッター機能を用いることにより、より手触れの影響を受けない撮影をすることができる。また、撮影者の意図によって音声シャッターＯＮ／ＯＦＦの切り替えが可能である。なお、音声シャッターＯＦＦの場合は、手動シャッターに切り替わる。
【００１９】
本発明第三の実施形態について説明する。本実施形態では、レリーズ操作遅延時間をより正確に設定したいという撮影者のために、事前に測定して登録できるようにするとともに、複数の撮影者（使用者）が一台のデジタルカメラ１を使用できるように設定を複数登録できるようにした。
レリーズ操作遅延時間ｔの測定方法について図３に基づいて説明する。ＬＣＤモニタ９０には、測定用の画像Ｉｍａｇｅが、ピントが少しずつずれていくようの表示される（Ｉｍａｇｅ１〜Ｉｍａｇｅ５）。この画像Ｉｍａｇｅは、事前に内蔵メモリ２３に登録されており、実際の撮影の際にフォーカスレンズの移動とともにＬＣＤモニタ９０に表示される画像と同様に、連続的に変化するように表示される。測定用画像Ｉｍａｇｅは、最初に大きくぼけたように表示され（Ｉｍａｇｅ１）、だんだんと焦点が合い（Ｉｍａｇｅ２）、焦点が完全に合うと（Ｉｍａｇｅ３）また少しずつぼけていくように表示される（Ｉｍａｇｅ４、５）。これら連続的に表示される画像のうち、Ｉｍａｇｅ３は合焦時の画像であり、撮影者（設定者）はＩｍａｇｅ３が表示された時、すなわち官能合焦値が最大となる画像が表示された時にレリーズボタン１０１を押すことにより、焦点が完全に合った時からレリーズボタンが押された時までの時間が計測され、レリーズ操作遅延時間ｔとして内蔵メモリ２３に記憶される。
【００２０】
図６は、レリーズ操作遅延時間ｔを測定する場合の一気押し撮影モードのメニュー設定のフローチャートである。撮影者は、メニュー画面から一気押し撮影モードの設定の変更を行うか否かを選択する（Ｓ２１）。Ｓ２１でＮｏの場合は、そのままフローを抜ける。Ｓ２１でＹｅｓの場合は、一気押し撮影モードの設定のうち、どの設定を行うかを選択する（Ｓ２２）。
レリーズ操作遅延時間ｔの測定又は設定を行う場合には、登録番号を選択し（Ｓ２３）、測定する場合は（Ｓ２４でＹｅｓ）、ＬＣＤモニタ９０に連続的に表示される測定用の画像を見て、ピントが一番合ったと思うところでレリーズボタン１０１を一気押しすることにより、レリーズ操作遅延時間ｔが測定され、内蔵メモリ２３に登録される。この測定を一回行った後に登録するようにしても良いが、複数回計測したデータの平均を登録すればより正確なデータが得られる。
一方、レリーズ操作遅延時間ｔを測定しない場合には（Ｓ２４でＮｏ）、０．１秒〜０．４秒の間でｔを選択することにより、手動でレリーズ操作遅延時間ｔを登録することができる。
【００２１】
このように、レリーズ操作遅延時間ｔを測定できるようにしたので、官能合焦値が最大となる時間から人間の反応時間をより正確に設定することができ、ピントの合った美しい画像を撮影することができる。また、複数のレリーズ操作遅延時間ｔを記憶させることができるので、複数の撮影者が一つのデジタルカメラ１を使用する場合であっても、撮影者毎のレリーズ操作遅延時間ｔを登録することができる。
【００２２】
本発明第四の実施形態について説明する。本実施形態では、音声シャッター用の音声を複数登録することができるようにした。
まず、本実施形態における音声シャッター機能について説明する。内蔵メモリ２３には、音声信号と比較されるサンプル音声が記憶されている。このサンプル音声は、後述するように、撮影者ごとに登録が可能である。サンプル音声は、音声シャッター機能が選択されるとＲＡＭ２２に呼び出される。ＣＰＵブロック１３は、マイク５８を通して入力された音声信号とサンプル音声を比較し、音声信号がシャッターを切るための音声であると判断した場合には、メカシャッタモータ４２によりメカシャッタ３４が切られ、撮影が行われる。
【００２３】
音声の登録について説明する。図７は、一気押し撮影モードのメニュー設定における制御フローを示したフローチャートである。
撮影者は、メニュー画面から一気押し撮影モードの設定の変更を行うか否かを選択する（Ｓ３１）。Ｓ３１でＮｏの場合は、そのままフローを抜ける。次に、登録番号を選択し（Ｓ３２）、設定部を選択する（Ｓ３３）。
音声の登録を行う場合は、まず音声の録音を行う（Ｓ３８）。Ｓ３８では、デジタルカメラ１は録音待機状態になり、使用者の操作により録音が開始される。使用者は、マイク５８に向かってシャッター音として登録したい言葉を発し、録音を停止する。使用者は、スピーカ６１から録音した音声を確認し（Ｓ３９）、この音声でよければ音声シャッター用のサンプル音声として登録する（Ｓ４０）。再度録音し直す場合はＳ３８に戻る。設定変更終了（Ｓ４４でＹｅｓ）であれば一気押し撮影モード設定変更のフローを抜ける。
また、レリーズボタン用のレリーズ操作遅延時間ｔｒ、音声シャッター用のレリーズ操作遅延時間ｔｓの測定又は設定を行う場合には、それぞれＳ３４〜Ｓ３６、Ｓ４１〜Ｓ４３の動作を行う。具体的な動作についてはＳ２４〜Ｓ２６で説明した通りである。なお、音声シャッター用のレリーズ操作遅延時間ｔｓを測定する場合、撮影者はＬＣＤモニタに表示された、ぼけ具合の代わる画像Ｉｍａｇｅ１〜Ｉｍａｇｅ５を見ながら、一番ピントが合ったと思うところで登録した声を発すればよい。
【００２４】
このように、本実施形態では複数のレリーズ操作遅延時間ｔを記憶できるようにしたので、複数の撮影者が一台のデジタルカメラ１を使用する場合でも、登録番号ごとの設定を呼び出すだけで、簡単に人間の反応速度の個人差を考慮した撮影を行うことができる。
また、レリーズボタン用のレリーズ操作遅延時間ｔｒと音声シャッター用のレリーズ操作遅延時間ｔｓを別個に登録できるようにしたので、レリーズボタン１０１を押すまでの反応速度と音を発するまでの反応速度を考慮したデジタルカメラ１を提供することができる。
【図面の簡単な説明】
【００２５】
【図１】デジタルカメラを示す概略図であり、（ａ）は上面図、（ｂ）は正面図、（ｃ）は背面図である。
【図２】デジタルスチルカメラ内部のシステム構成を示すブロック図である。
【００２６】
【図３】フォーカスレンズ位置と官能合焦値の関係及びＬＣＤモニタに表示される画像の様子を示した図である。
【図４】本発明第一の実施形態における一気押し撮影モードのメニュー設定の制御を示したフローチャートである。
【図５】本発明第二の実施形態における音声シャッターの動作を示すフローチャートである。
【図６】本発明第三の実施形態における一気押し撮影モードのメニュー設定の制御を示したフローチャートである。
【図７】本発明第四の実施形態における一気押し撮影モードのメニュー設定の制御を示したフローチャートである。
【符号の説明】
【００２７】
１…デジタルカメラ、１０…デジタルスチルカメラプロセッサ、１３…ＣＰＵブロック、２２…ＲＡＭ、２３…内蔵メモリ、３２…フォーカスレンズ、３４…メカシャッタ、５７…マイクアンプ、５８…マイク、９０…ＬＣＤモニタ、１０１…レリーズボタン、１１２…一気押しモードキー
【図１】
2009163125.tif 000003
【図２】
2009163125.tif 000004
【図３】
2009163125.tif 000005
【図４】
2009163125.tif 000006
【図５】
2009163125.tif 000007
【図６】
2009163125.tif 000008
【図７】
2009163125.tif 000009